【事件の表示】
　特願２０１７−３２００４号「遊技機」拒絶査定不服審判事件〔平成３０年８月３０日出願公開、特開２０１８−１３４３０４号〕について、次のとおり審決する。
【結　論】
　本件審判の請求は、成り立たない。
【理　由】
第１　手続の経緯の概要
　本願は、平成２９年２月２３日の出願であって、平成３１年３月２０日付けで拒絶の理由が通知され、令和１年５月２７日に意見書および手続補正書が提出され、さらに、同年９月２０日付けで最後の拒絶の理由が通知され、同年１２月２日に意見書および手続補正書が提出されたところ、令和２年４月１３日付け（送達日：同年４月２８日）で、令和１年１２月２日付け手続補正が却下されるとともに拒絶査定（以下「原査定」という。）がなされ、それに対して、同年７月２７日に拒絶査定不服審判の請求がなされると同時に手続補正がなされたものである。
　
第２　令和２年７月２７日付けの手続補正についての補正の却下の決定
[補正の却下の決定の結論]
　令和２年７月２７日付けの手続補正（以下「本件補正」という。）を却下する。
[理由]
　１　補正の内容
　本件補正により、令和１年５月２７日付け手続補正書の特許請求の範囲の請求項１における
「始動条件の成立により、大当たりに当選したか否かを判定する判定手段と、
　前記判定手段の判定結果に基づいて、図柄表示手段において図柄を変動表示させた後に、前記判定結果を示す図柄を停止表示させる図柄表示制御手段と、
　前記判定手段が前記大当たりに当選したと判定した場合、前記図柄表示制御手段が前記図柄を停止表示させた後に、当選した大当たりに対応する特別遊技を実行する特別遊技実行手段と、
　画像表示手段と可動役物とを含む演出手段と、
　前記判定手段の判定結果に基づいて、前記画像表示手段において複数種類の演出図柄をリーチ態様で停止させてからハズレ態様で停止させるハズレリーチ演出と、前記複数種類の演出図柄がハズレ態様で確定しそうな状態から救済されたことを報知する前記可動役物の動作をともなう救済成功演出と、前記複数種類の演出図柄がハズレ態様で確定しそうな状態から救済されなかったことを報知する救済失敗演出と、前記救済成功演出の実行の可能性を示唆する特定予告演出とを含む複数の演出の中の１又は複数の演出を前記演出手段に実行させる演出制御手段と、
　前記演出制御手段が、前記図柄の変動表示中において、前記ハズレリーチ演出及び前記救済成功演出を実行させる場合、当該ハズレリーチ演出の終了後に前記特定予告演出が実行されることを可能とし、当該ハズレリーチ演出の終了前、および、前記救済失敗演出を実行させる場合に前記特定予告演出が実行されることを規制する規制手段と
　を具備することを特徴とする遊技機。」は、
　審判請求時に提出された手続補正書（令和２年７月２７日付け）における
「始動条件の成立により、大当たりに当選したか否かを判定する判定手段と、
　前記判定手段の判定結果に基づいて、図柄表示手段において図柄を変動表示させた後に、前記判定結果を示す図柄を停止表示させる図柄表示制御手段と、
　前記判定手段が前記大当たりに当選したと判定した場合、前記図柄表示制御手段が前記図柄を停止表示させた後に、当選した大当たりに対応する特別遊技を実行する特別遊技実行手段と、
　画像表示手段と可動役物とを含む演出手段と、
　前記判定手段の判定結果に基づいて、前記画像表示手段において複数種類の演出図柄をリーチ態様で停止させてからハズレ態様で停止させるハズレリーチ演出と、前記複数種類の演出図柄がハズレ態様で確定しそうな状態から救済されたことを報知する前記可動役物の動作をともなう救済成功演出と、前記複数種類の演出図柄がハズレ態様で確定しそうな状態から救済されなかったことを報知する救済失敗演出と、前記救済成功演出の実行の可能性を示唆する特定予告演出とを含む複数の演出の中の１又は複数の演出を前記演出手段に実行させる演出制御手段と、
　前記演出制御手段が、前記図柄の変動表示中において、前記ハズレリーチ演出及び前記救済成功演出を実行させる場合、当該ハズレリーチ演出の終了後
における第１の時期において第１の割合、または、第２の時期において前記第１の割合よりも高い第２の割合により
　を具備することを特徴とする遊技機。」に補正された（下線は、補正箇所を明示するために合議体にて付した。）。
　
　２　補正の適否
　２−１　補正の目的および新規事項について
　本件補正は、補正前の請求項１に記載した発明を特定するために必要な事項である「前記演出制御手段が、前記図柄の変動表示中において、前記ハズレリーチ演出及び前記救済成功演出を実行させる場合」の「前記特定予告演出」の「実行」に関して、「当該ハズレリーチ演出の終了後に前記特定予告演出が実行される」とあったものを「当該ハズレリーチ演出の終了後に
おける第１の時期において第１の割合、または、第２の時期において前記第１の割合よりも高い第２の割合により
　そして、補正後の請求項１に係る発明は、補正前の請求項１に係る発明と、産業上の利用分野及び解決しようとする課題が同一であるから、本件補正は、特許法第１７条の２第５項第２号に掲げる「特許請求の範囲の減縮」を目的とする補正に該当する。
　また、本件補正の補正事項は、願書に最初に添付した明細書（以下「当初明細書」という。）の段落【０４０４】〜【０４１０】の記載に基づくものであり、新規事項を追加するものではないから、特許法第１７条の２第３項に規定する要件を満たす。
　　　
　２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　（１）本件補正発明
　本件補正発明は、次のとおりのものであると認める（記号Ａ〜Ｇは、分説するため当審判合議体にて付した。）。
「Ａ　始動条件の成立により、大当たりに当選したか否かを判定する判定手段と、
　Ｂ　前記判定手段の判定結果に基づいて、図柄表示手段において図柄を変動表示させた後に、前記判定結果を示す図柄を停止表示させる図柄表示制御手段と、
　Ｃ　前記判定手段が前記大当たりに当選したと判定した場合、前記図柄表示制御手段が前記図柄を停止表示させた後に、当選した大当たりに対応する特別遊技を実行する特別遊技実行手段と、
　Ｄ　画像表示手段と可動役物とを含む演出手段と、
　Ｅ　前記判定手段の判定結果に基づいて、前記画像表示手段において複数種類の演出図柄をリーチ態様で停止させてからハズレ態様で停止させるハズレリーチ演出と、前記複数種類の演出図柄がハズレ態様で確定しそうな状態から救済されたことを報知する前記可動役物の動作をともなう救済成功演出と、前記複数種類の演出図柄がハズレ態様で確定しそうな状態から救済されなかったことを報知する救済失敗演出と、前記救済成功演出の実行の可能性を示唆する特定予告演出とを含む複数の演出の中の１又は複数の演出を前記演出手段に実行させる演出制御手段と、
　Ｆ　前記演出制御手段が、前記図柄の変動表示中において、前記ハズレリーチ演出及び前記救済成功演出を実行させる場合、当該ハズレリーチ演出の終了後における第１の時期において第１の割合、または、第２の時期において前記第１の割合よりも高い第２の割合により前記特定予告演出が実行されることを可能とし、当該ハズレリーチ演出の終了前、および、前記救済失敗演出を実行させる場合に前記特定予告演出が実行されることを規制する規制手段と
　Ｇ　を具備することを特徴とする遊技機。」
　
　（２）引用文献１の記載事項及び引用発明
　原査定の拒絶の理由に引用文献１として引用された本願の出願前に電気通信回線を通じて公衆に利用可能となった特開２０１６−２０９２６８号公報には、図面とともに以下の事項が記載されている（下線は当審判合議体にて付した。以下同じ。）。
　
　　　ア　「【発明が解決しようとする課題】
【0005】
　特別遊技の実行有無に関する演出について新たな演出を導入できれば、遊技の興趣向上が見込まれる。遊技機において、遊技への飽きを抑制して楽しんで遊技を行ってもらうために、新たな演出及び方法の導入が重要であることは言うまでもない。
【0006】
　そこで
本発明は、特別遊技の示唆に関連する演出を通じて遊技の興趣向上に寄与する遊
技機を提供することを目的とする。
　
　　　イ　「【0016】
　
遊技盤１０１の略中央部分には、液晶ディスプレイパネル等から成る画像表示部１０４が配置される。
　
　　　ウ　「【0025】
　演出に用いられる可動役物は、遊技盤１０１上にも設けられている。本実施形態において
遊技盤１０１上には盤可動役物１３０が設けられる。
・・・
【0027】
　特別図柄として第１及び第２特別図柄が存在する。特別図柄表示部２０１は、
第１特別図柄を表示する第１特別図柄表示部２０１ａ及び第２特別図柄を表示する第２特別図柄表示部２０１ｂ
・・・
【0029】
＜＜遊技機の基本動作＞＞
　次に、遊技機１００の基本動作について説明する。
遊技機１００は、第１又は第２始動条件が成立すると、
大当たり抽選
を行う。
　
　　　エ　「【0033】
　
大当たりを示す態様で特別図柄を停止表示させると、遊技機１００は、大当たり遊技状態となる。大当たり遊技状態では、大入賞口１１１を開放させるラウンド遊技を、当選した大当たりの種類
に応じたラウンド分
実行する大当たり遊技が行われる。
　
　　　オ　「【0041】
?＜＜遊技機の内部構成＞＞図４を参照して、
遊技機１００の内部構成
遊技機１００に設けられた
遊技の進行を制御する主制御部４０１と
演出内容を制御する演出制御部４０３とを備えている。
【0042】
　［１．主制御部］
主制御部４０１は、ＣＰＵ
４１１
を備えて構成される。
　
　　　カ　「【0046】
　また、主制御部４０１には、図２の情報表示部１１４内の各種表示部が接続される（但し、図４において表示部２０４及び２０５の図示は省略）。主制御部４０１は、特別図柄抽選の抽選結果に基づき第１特別図柄表示部２０１ａ又は第２特別図柄表示部２０１ｂの表示制御を行い、普通図柄抽選の抽選結果に基づき普通図柄表示部２０２の表示制御を行う。更に、主制御部４０１は、保留情報数Ｕ１、Ｕ２及びＵ３に基づき保留表示部２０３の表示内容を制御する。」
　
　　　キ　「【0055】
　［１−２−３．特別図柄処理］特別図柄処理を説明する（図５参照）。特別図柄処理において、
メインＣＰＵ４１１は特図判定を実行する。特図判定は、特図当たり判定、特図図柄判定及び特図変動パターン判定から成る。
特図変動パターン判定によって選択された特図変動パターンが示す変動時間だけ特別図柄の変動表示を行った後、特図当たり判定及び特図図柄判定の判定結果を示す図柄で
特別図柄を停止させる。
【0056】
　メインＣＰＵ４１１は、特別図柄の変動表示を開始する際、特図当たり判定、特図図柄判定及び特図変動パターン判定の判定結果を含む変動開始コマンドをメインＲＡＭ４１３に設定することを通じて演出制御部４０３に対し変動演出の実行開始を指示し、特別図柄の変動を停止する際、変動停止コマンドをメインＲＡＭ４１３に設定することを通じて演出制御部４０３に対し変動演出の実行終了を指示する。また、
特図当たり判定の結果が大当たり又は小当たりの当選を示しているとき
・・・
【0058】
　特別図柄処理において、
メインＣＰＵ４１１は、
特図当たり判定を行う。
　
　　　ク　「【0063】
　第１特別図柄についての特図当たり判定において（
第１始動条件の成立に基づく特図当たり判定において
、大当たりに当選したとき
第１始動条件の成立に基づく
第２始動条件の成立に基づく特図当たり判定において
、大当たりに当選したとき
　
　　　ケ　「【0081】
　
大入賞口処理では、特図判定の結果が大当たりの当選を示しているときに、大当たりの種類に応じた大入賞口開放パターンを用いて大入賞口１１１が開閉動作され
メインＣＰＵ４１１は、
大入賞口処理を実現する。
　
　　　コ　「【0096】
［３．演出制御部］
演出制御部４０３は、ＣＰＵ４３１
を備えて構成される
。
サブＣＰＵ４３１は、遊技機１００が行う演出の制御に関する各種プログラムをサブＲＯＭ４３２から読み出し、
読み出したプログラムを実行する。
　
　　　サ　「【0154】
　［変動演出パターンＨＥｐ＿ａ１６］図２０を参照し、変動演出パターンＨＥｐ＿ａ１６による変動演出１２００を説明する。
変動演出パターンＨＥｐ＿ａ１６による変動演出１２００では、
リーチハズレ示唆演出
が、
実行される。
【0155】
　前段演出では、第１〜第３装飾図柄（図２０のＳＺ１〜ＳＺ３に相当）の変動表示の開始後、所定の演出を経て、第１及び第２装飾図柄を共通の図柄（図２０では数字「２」の図柄）にて揃えた状態で仮停止させる。その後、強リーチ演出では、遊技上の課題として、主人公キャラクタＺＲが敵キャラクタＢを倒すという課題が発生し、その課題が達成されるか否かを示す演出が実行される。
【0156】
　変動演出パターンＨＥｐ＿ａ１６による変動演出１２００では、
強リーチ演出を経て、
第１〜第３装飾図柄が非ゾロ目の態様にて画像表示部１０４
に仮停止表示される。遊技上の課題が達成されない様子を表す演出と、その後の、非ゾロ目の態様による第１〜第３装飾図柄の仮停止表示とが、
リーチハズレ示唆演出に含まれる。
【0157】
　
変動演出パターンＨＥｐ＿ａ１６による変動演出１２００では、リーチハズレ示唆演出の後、復活煽り演出が行なわれ、続いて復活失敗演出が行なわれる。
【0158】
　［変動演出パターンＨＥｐ＿ａ２６］図２１を参照し、変動演出パターンＨＥｐ＿ａ２６による変動演出１２００を説明する。
変動演出パターンＨＥｐ＿ａ２６による変動演出１２００では、
【0159】
　前段演出では、第１〜第３装飾図柄（図２１のＳＺ１〜ＳＺ３に相当）の変動表示の開始後、所定の演出を経て、第１及び第２装飾図柄を共通の図柄（図２１では数字「２」の図柄）にて揃えた状態で仮停止させる。その後、強リーチ演出では、遊技上の課題として、主人公キャラクタＺＲが敵キャラクタＢを倒すという課題が発生し、その課題が達成されるか否かを示す演出が実行される。
【0160】
　
変動演出パターンＨＥｐ＿ａ２６による変動演出１２００では、強リーチ演出を経て、
技上の課題が達成されない様子を表す演出と、その後の、非ゾロ目の態様による第１〜第３装飾図柄の仮停止表示とが、変動演出パターンＨＥｐ＿ａ２６のリーチハズレ示唆演出に含まれる。
【0161】
　
変動演出パターンＨＥｐ＿ａ２６による変動演出１２００では、リーチハズレ示唆演出の後、復活煽り演出が行なわれ、続いて復活成功演出が行なわれる。
　
　　　シ　「【0167】
　本実施形態において、
復活煽り演出は、演出ボタン１２１を押下する操作の有無に関係なく実行される基本復活煽り演出と、演出ボタン１２１を押下する操作に応じて実行される追加復活煽り演出と、に大別される。
・・・
【0170】
　追加復活煽り演出は、演出ボタン１２１を押下する操作（以下、ボタン操作という）に応じて実行される演出であり、ボタン操作が無い場合には、実行されない。即ち、変動演出パターンＨＥｐ＿ａ１６又はＨＥｐ＿ａ２６による
リーチハズレ示唆演出の後、復活失敗演出又は復活成功演出が行なわれる前において、
ボタン操作が有る場合には基本復活煽り演出と追加復活煽り演出が行なわれる。
・・・
【0172】
　図２５を参照し、
追加復活煽り演出は、ボタン操作の入力に応じ盤可動役物１３０を基準位置Ｐ０及び中途位置Ｐ１間で移動させる演出（以下、盤可動役物１３０の部分作動演出という）を含む。
　
復活成功演出は、盤可動役物１３０を作動位置Ｐ２にまで移動させる演出を含む
。
主人公キャラクタＺＲが立ち上がって敵キャラクタを倒す様子を示した動画像の表示が、復活成功演出に含まれていても良い。
【0174】
　
復活失敗演出は、主人公キャラクタＺＲが立ち上がることができない様子を示した動画像の表示を含む（図２０参照）。復活失敗演出が行なわれるとき、盤可動役物１３０は基準位置Ｐ０に固定される。
　
　　　ス　「【0201】
　［実施例ＥＸ２＿４］
　図３１を参照し、実施例ＥＸ２＿４を説明する。
復活煽り演出を含む変動演出１２００において、リーチ演出
を経て第１〜第３装飾図柄が仮停止される期間は、第１仮停止期間とその後の第２仮停止期間に大別される。
・・・
【0204】
　
変動演出パターンＨＥｐ＿１６又はＨＥｐ＿２６による変動演出１２００に関し、復活煽り演出とそれに続く復活失敗演出又は復活成功演出は、第１仮停止期間中にのみ行われても良いし、第２仮停止期間中にのみ行われても良いし（即ち例えば背景画像が第２背景画像から第１背景画像に変更されてから行われても良いし）、第１仮停止期間及び第２仮停止期間中に（即ち第１仮停止期間及び第２仮停止期間を跨いで）行われても良い。
　
　　　セ　「【0221】
［実施例ＥＸ４＿４］実施例ＥＸ４＿４を説明する。基本復活煽り演出は、判定対象ＴＴとしての特図判定用情報１１００が大当たりである場合にもハズレである場合にも実行され得るようにしつつ、
追加復活煽り演出は、判定対象ＴＴとしての特図判定用情報１１００が大当たりである場合にのみ実行されるようにしても良い。これを第１実施形態に適用するには、変動演出パターンＨＥｐ＿ａ１６による変動演出
の復活煽り演出では基本復活煽り演出のみを行うようにしてボタン操作があっても追加復活煽り演出を行わないようにすると良く、且つ、変動演出パターンＨＥｐ＿ａ２６による変動演出
の復活煽り演出では第１実施形態で述べたように基本復活煽り演出を行いつつボタン操作に応じて追加復活煽り演出を追加実行すれば良い。
　
　　　ソ　引用発明
　上記ア〜セの記載事項を総合すると、引用文献１には、次の発明（以下「引用発明」という。）が記載されていると認められる（ａ〜ｇは、本件補正発明のＡ〜Ｇに対応させて当審判合議体にて付与した。）。
「ａ　遊技の進行を制御する主制御部４０１と、演出内容を制御する演出制御部４０３とを備えている遊技機１００（【0041】）において、
　主制御部４０１のＣＰＵ４１１は、第１始動条件又は第２始動条件の成立に基づいて、大当たり又は小当たりに当選したか否かの特図当たり判定を行い（【0029】、【0042】、【0056】、【0058】、【0063】）、
　
　ｂ　メインＣＰＵ４１１は、特図当たり判定、特図図柄判定及び特図変動パターン判定から成る特図判定によって選択された特図変動パターンが示す変動時間だけ、第１特別図柄を表示する第１特別図柄表示部２０１ａ又は第２特別図柄を表示する第２特別図柄表示部２０１ｂにおいて、特別図柄の変動表示を行った後、特図当たり判定及び特図図柄判定の判定結果を示す図柄で特別図柄を停止させ（【0027】、【0055】）、
　
　ｃ　メインＣＰＵ４１１は、特図判定の結果が大当たりの当選を示しているときに、大当たりを示す態様で特別図柄を停止表示させ、大当たりの種類に応じた大入賞口開放パターンを用いて大入賞口１１１を開閉動作させる大入賞口処理を行い（【0033】、【0081】）、
　
　ｄ　遊技盤１０１の略中央部分には、液晶ディスプレイパネル等から成る画像表示部１０４が配置される（【0016】）と共に、遊技盤１０１上には盤可動役物１３０が設けられ（【0025】）、
　
　ｅ　演出制御部４０３のＣＰＵ４３１は、
　変動演出パターンＨＥｐ＿ａ１６及びＨＥｐ＿ａ２６による変動演出１２００では、強リーチ演出を経て、遊技上の課題が達成されない様子を表す演出と、その後の、非ゾロ目の態様による第１〜第３装飾図柄の仮停止表示を含むリーチハズレ示唆演出を画像表示部１０４において行い（【0096】、【0154】、【0156】、【0160】）、
　変動演出パターンＨＥｐ＿ａ２６による変動演出１２００では、リーチハズレ示唆演出の後、復活煽り演出を行い、続いて復活成功演出を行い（【0161】）、
　変動演出パターンＨＥｐ＿ａ１６による変動演出１２００では、リーチハズレ示唆演出の後、復活煽り演出を行い、続いて復活失敗演出を行い（【0157】）、
　リーチハズレ示唆演出の後であって、復活失敗演出又は復活成功演出の前に行なわれる復活煽り演出は、演出ボタン１２１を押下する操作の有無に関係なく実行される基本復活煽り演出と、演出ボタン１２１を押下する操作に応じて実行される追加復活煽り演出と、に大別され（【0167】、【0170】）
　復活成功演出は、盤可動役物１３０を作動位置Ｐ２にまで移動させる演出と、主人公キャラクタＺＲが立ち上がって敵キャラクタを倒す様子を示した動画像の表示を含み（【0173】）、
　また、復活失敗演出は、主人公キャラクタＺＲが立ち上がることができない様子を示した動画像の表示を含むが、復活失敗演出が行なわれるとき、盤可動役物１３０は基準位置Ｐ０に固定され（【0174】）、
　追加復活煽り演出は、ボタン操作の入力に応じ盤可動役物１３０を基準位置Ｐ０及び中途位置Ｐ１間で移動させる部分作動演出を含み（【0172】）、
　
　ｆ　復活煽り演出を含む変動演出１２００において、リーチ演出を経て第１〜第３装飾図柄が仮停止される期間は、第１仮停止期間とその後の第２仮停止期間に大別され（【0201】）、
　変動演出パターンＨＥｐ＿１６又はＨＥｐ＿２６による変動演出１２００に関し、復活煽り演出とそれに続く復活失敗演出又は復活成功演出は、第１仮停止期間中にのみ行われ（【0204】）、
　変動演出パターンＨＥｐ＿ａ１６による変動演出の復活煽り演出では基本復活煽り演出のみを行うようにしてボタン操作があっても追加復活煽り演出を行わず、且つ、変動演出パターンＨＥｐ＿ａ２６による変動演出の復活煽り演出では基本復活煽り演出を行いつつボタン操作に応じて追加復活煽り演出を追加実行する【0221】）
　
　ｇ　遊技機１００。」
　
　（３）対比
　本件補正発明と引用発明とを、分説に従い対比する。
　　（ａ）
　引用発明の「第１始動条件又は第２始動条件の成立」は、本件補正発明の「始動条件の成立」に相当する。
　また、引用発明の「特図当たり判定」は、「大当たり又は小当たりに当選したか否かの」判定であるから、本件補正発明の「大当たりに当選したか否かを判定する」ことに相当する。
　したがって、引用発明の構成ａの「主制御部４０１のＣＰＵ４１１」は、本件補正発明の構成Ａの「判定手段」としての機能を有する。
　
　　（ｂ）
　引用発明の「特図当たり判定」を含む「特図判定によって選択された特図変動パターンが示す変動時間だけ、第１特別図柄を表示する第１特別図柄表示部２０１ａ又は第２特別図柄を表示する第２特別図柄表示部２０１ｂにおいて、特別図柄の変動表示を行った後」は、本件補正発明の「前記判定手段の判定結果に基づいて、図柄表示手段において図柄を変動表示させた後に」に相当する。
　また、引用発明の「特図当たり判定及び特図図柄判定の判定結果を示す図柄で特別図柄を停止させ」ることは、本件補正発明の「前記判定結果を示す図柄を停止表示させる」ことに相当する。
　したがって、引用発明の構成ｂの「メインＣＰＵ４１１」は、本件補正発明の構成Ｂの「図柄表示制御手段」としての機能を有する。
　
　　（ｃ）
　引用発明の「特図判定の結果が大当たりの当選を示しているときに、大当たりを示す態様で特別図柄を停止表示させ」ることは、本件補正発明の「前記判定手段が前記大当たりに当選したと判定した場合、前記図柄表示制御手段が前記図柄を停止表示させ」ることに相当する。
　また、引用発明の「大当たりの種類に応じた大入賞口開放パターンを用いて大入賞口１１１を開閉動作させる」ことは、本件補正発明の「当選した大当たりに対応する特別遊技を実行する」ことに相当する。
　したがって、引用発明の構成ｃの「メインＣＰＵ４１１」は、本件補正発明の構成Ｃの「特別遊技実行手段」としての機能を有する。
　　
　　（ｄ）
　引用発明の「液晶ディスプレイパネル等から成る画像表示部１０４」、「盤可動役物１３０」は、それぞれ、本件補正発明の「画像表示手段」、「可動役物」に相当する。
　そして、引用発明の「液晶ディスプレイパネル等から成る画像表示部１０４」と「盤可動役物１３０」を併せたものは、本件補正発明の「演出手段」に相当する。
　したがって、引用発明の構成ｄは、本件補正発明の構成Ｄに相当する。
　
　　（ｅ）
　上記（ｂ）より、引用発明におけ「特図当たり判定」を含む「特図判定によ」ることは、本件補正発明の「判定手段の判定結果に基づ」くことに相当する。
　
　ここで、本件補正発明の「画像表示手段において複数種類の演出図柄をリーチ態様で停止させてからハズレ態様で停止させるハズレリーチ演出」がどのような技術的事項を示すものであるのかについて検討する。
　本件補正発明の「ハズレリーチ演出」は、構成Ｆによると、「当該ハズレリーチ演出の終了後における第１の時期において第１の割合、または、第２の時期において第１の割合よりも高い第２の割合により特定予告演出が実行されることを可能と」するものであるから、「ハズレ態様で停止させる」ことは、当業者の技術常識からみて、最終的な停止でないことは明らかである。
　一方、本願明細書の【０４１０】に、「テーブルのこのような構成により、演出制御基板１２０は、図柄の変動表示中の演出として、ハズレリーチ演出（リーチ演出→ハズレ態様で仮停止という一連の演出）及び救済演出であるチャレンジ演出を実行する場合に、ハズレリーチ演出の実行後（図６１（ｂ）のテーブルの時刻ｔＲＣＣ‐ＣＬＡ又は時刻ｔＣＬＡ‐ＣＬＢ）にチャレンジ特定予告演出が実行されることを可能とし、ハズレリーチ演出の終了後に、チャレンジ特定予告演出及びチャレンジ演出を一連で実行する。」ことが記載されている。
　そうすると、本件補正発明において、「ハズレ態様で停止させる」とは、「ハズレ態様で仮停止」させることを意味するものと解される。
　したがって、引用発明の「強リーチ演出」、「画像表示部１０４」、「非ゾロ目の態様による第１〜第３装飾図柄の仮停止表示」は、それぞれ、本件補正発明の「リーチ態様で停止」する演出、「画像表示手段」、「ハズレ態様で停止させる」表示に相当する。
　したがって、引用発明の「画像表示部１０４において行」われる「強リーチ演出を経て、遊技上の課題が達成されない様子を表す演出と、その後の、非ゾロ目の態様による第１〜第３装飾図柄の仮停止表示を含むリーチハズレ示唆演出」は、本件補正発明の「前記画像表示手段において複数種類の演出図柄をリーチ態様で停止させてからハズレ態様で停止させるハズレリーチ演出」に相当する。
　
　そして、引用発明における「リーチハズレ示唆演出」における「非ゾロ目の態様による第１〜第３装飾図柄の仮停止表示」は、本件補正発明の「前記複数種類の演出図柄がハズレ態様で確定しそうな状態」に相当する。
　また、引用発明の「復活成功演出」は、復活に成功したことを報知する演出であるから、本件補正発明の「救済されたことを報知する」「救済成功演出」に相当する。
　さらに、引用発明の「復活成功演出」に含まれる「盤可動役物１３０を作動位置Ｐ２にまで移動させる演出」は、本件補正発明の「可動役物の動作をともなう」演出に相当する。
　したがって、引用発明の「リーチハズレ示唆演出の後」「行なわれ」る「復活成功演出」は、本件補正発明の「複数種類の演出図柄がハズレ態様で確定しそうな状態から救済されたことを報知する可動役物の動作をともなう救済済成功演出」に相当する。
　
　また、引用発明の「復活失敗演出」は、復活に失敗したことを報知する演出であるから、本件補正発明の「救済されなかったことを報知する」「救済失敗演出」に相当する。
　したがって、引用発明の「復活失敗演出」は、本件補正発明の「複数種類の演出図柄がハズレ態様で確定しそうな状態から救済されなかったことを報知する救済失敗演出」に相当する。
　
　さらに、引用発明において、「追加復活煽り演出」を含む「復活煽り演出」が行われると、「続いて」「復活失敗演出又は復活成功演出」が行われることから、引用発明の「追加復活煽り演出」は、本件補正発明の「救済成功演出の実行の可能性を示唆する」演出に相当する。
　したがって、引用発明の「追加復活煽り演出」は、本件補正発明の「前記救済成功演出の実行の可能性を示唆する特定予告演出」に相当する。
　
　さらに、引用発明において、「演出制御部４０３のＣＰＵ４３１」は、「変動演出パターンＨＥｐ＿ａ２６による変動演出１２００では、リーチハズレ示唆演出の後、復活煽り演出を行い、続いて復活成功演出を行」い、「変動演出パターンＨＥｐ＿ａ１６による変動演出１２００では、リーチハズレ示唆演出の後、復活煽り演出を行い、続いて復活失敗演出を行」うものであり、「復活煽り演出」には、本件補正発明の「特定予告演出」に対応する「追加復活煽り演出」が含まれるものであるから、引用発明は、本件補正発明の「ハズレリーチ演出と、」「救済成功演出と、」「救済失敗演出と、」「特定予告演出とを含む複数の演出の中の１又は複数の演出を演出手段に実行させる」構成を備えるものである。
　
　よって、引用発明の構成ｅの「演出制御部４０３のＣＰＵ４３１」は、本件補正発明の構成Ｅの「演出制御手段」としての機能を有するものである。
　
　　（ｆ）
　引用発明の「復活煽り演出を含む変動演出１２００において、リーチ演出を経て第１〜第３装飾図柄が仮停止される期間」である「第１仮停止期間中」は、本件補正発明の「第１の時期」に相当する。
　また、引用発明において、構成ｅより、「演出制御部４０３のＣＰＵ４３１」は、「変動演出パターンＨＥｐ＿ａ２６による変動演出１２００では、リーチハズレ示唆演出の後、復活煽り演出を行い、続いて復活成功演出を行な」うものである。
　そうすると、引用発明の「変動演出パターンＨＥｐ＿２６による変動演出１２００に関し、復活煽り演出とそれに続く」「復活成功演出は、第１仮停止期間中にのみ行われ」ることと、本件補正発明の「図柄の変動表示中において、ハズレリーチ演出及び救済成功演出を実行させる場合、当該ハズレリーチ演出の終了後における第１の時期において第１の割合、または、第２の時期において前記第１の割合よりも高い第２の割合により特定予告演出が実行されることを可能と」することとは、図柄の変動表示中において、ハズレリーチ演出及び救済成功演出を実行させる場合、当該ハズレリーチ演出の終了後における第１の時期において特定予告演出が実行されることを可能とする」ことで共通する。
　
　そして、引用発明において、構成ｅより、「演出制御部４０３のＣＰＵ４３１」は、「変動演出パターンＨＥｐ＿ａ２６」及び「変動演出パターンＨＥｐ＿ａ１６」「による変動演出１２００では」「リーチハズレ示唆演出の後、復活煽り演出を行」うものであるから、「リーチハズレ示唆演出」の終了前に「復活煽り演出」に含まれる「追加復活煽り演出」が行われることはなく、本件補正発明の「ハズレリーチ演出の終了前」「に特定予告演出が実行されることを規制する規制手段」としての機能を備えるものである。
　また、引用発明の「復活失敗演出」が行われる「変動演出パターンＨＥｐ＿ａ１６による変動演出の復活煽り演出では基本復活煽り演出のみを行うようにしてボタン操作があっても追加復活煽り演出を行わ」ないことは、構成ｅより、「変動演出パターンＨＥｐ＿ａ１６による変動演出１２００では、リーチハズレ示唆演出の後、復活煽り演出を行い、続いて復活失敗演出を行」うことから、本件補正発明の「救済失敗演出を実行させる場合に特定予告演出が実行されることを規制する」ことに相当する。
　
　したがって、引用発明の構成ｆと本件補正発明の構成Ｆとは、「演出制御手段が、図柄の変動表示中において、ハズレリーチ演出及び救済成功演出を実行させる場合、当該ハズレリーチ演出の終了後における第１の時期において特定予告演出が実行されることを可能とし、当該ハズレリーチ演出の終了前、および、救済失敗演出を実行させる場合に特定予告演出が実行されることを規制する規制手段」を備えることで共通する。
　
　　（ｇ）
　引用発明の構成ｇの「遊技機１００」は、本件補正発明の構成Ｇの「遊技機」に相当する。
　
　上記（ａ）〜（ｇ）によれば、本件補正発明と引用発明は、
「Ａ　始動条件の成立により、大当たりに当選したか否かを判定する判定手段と、
　Ｂ　前記判定手段の判定結果に基づいて、図柄表示手段において図柄を変動表示させた後に、前記判定結果を示す図柄を停止表示させる図柄表示制御手段と、
　Ｃ　前記判定手段が前記大当たりに当選したと判定した場合、前記図柄表示制御手段が前記図柄を停止表示させた後に、当選した大当たりに対応する特別遊技を実行する特別遊技実行手段と、
　Ｄ　画像表示手段と可動役物とを含む演出手段と、
　Ｅ　前記判定手段の判定結果に基づいて、前記画像表示手段において複数種類の演出図柄をリーチ態様で停止させてからハズレ態様で停止させるハズレリーチ演出と、前記複数種類の演出図柄がハズレ態様で確定しそうな状態から救済されたことを報知する前記可動役物の動作をともなう救済成功演出と、前記複数種類の演出図柄がハズレ態様で確定しそうな状態から救済されなかったことを報知する救済失敗演出と、前記救済成功演出の実行の可能性を示唆する特定予告演出とを含む複数の演出の中の１又は複数の演出を前記演出手段に実行させる演出制御手段と、
　Ｆ´前記演出制御手段が、前記図柄の変動表示中において、前記ハズレリーチ演出及び前記救済成功演出を実行させる場合、当該ハズレリーチ演出の終了後における第１の時期において前記特定予告演出が実行されることを可能とし、当該ハズレリーチ演出の終了前、および、前記救済失敗演出を実行させる場合に前記特定予告演出が実行されることを規制する規制手段と
　Ｇ　を具備する遊技機。」の点で一致し、次の点で相違する。
　
［相違点」（構成Ｆ）
　ハズレリーチ演出の終了後に実行可能とされる特定予告演出の実行時期及び実行割合に関して、本件補正発明は、第１の時期において第１の割合、または、第２の時期において前記第１の割合よりも高い第２の割合により特定予告演出が実行されるのに対して、引用発明は、「追加復活煽り演出」が、第１仮停止期間中にのみ行われる点。
　
　（４）当審判合議体の判断
　上記相違点について検討する。
　引用発明は、「特別遊技の示唆に関連する演出を通じて遊技の興趣向上に寄与する遊技機を提供する」（【0006】）ことを目的とするものである。
　そして、引用文献１には、【0204】に「変動演出パターンＨＥｐ＿１６又はＨＥｐ＿２６による変動演出１２００に関し、復活煽り演出とそれに続く復活失敗演出又は復活成功演出は、第１仮停止期間中にのみ行われても良いし、第２仮停止期間中にのみ行われても良いし（即ち例えば背景画像が第２背景画像から第１背景画像に変更されてから行われても良いし）、第１仮停止期間及び第２仮停止期間中に（即ち第１仮停止期間及び第２仮停止期間を跨いで）行われても良い。」ことが記載されている。
　この記載によると、「追加復活煽り演出」を含む「復活煽り演出」を、「第１仮停止期間中にのみ行われても良いし、第２仮停止期間中にのみ行われても良」いものであるから、、遊技の興趣向上のために、「追加復活煽り演出」が実行されるタイミングの選択肢を増やすべく、引用発明における「追加復活煽り演出」を、「第１仮停止期間中」及び「第２仮停止期間中」のいずれの期間中においても実行可能とし、それにより演出の幅を広げることは当業者が容易になし得たことであり、その際に両者の実行割合をどのような値とするのかは、当業者が適宜決定し得た事項である。
　
　したがって、引用発明及び引用文献１に記載された技術事項に基づいて、上記相違点に係る本件補正発明の構成とすることは、当業者が容易になし得たものである。
　
　そして、本件補正発明により奏される効果は、当業者が、引用発明から予測し得た効果の範囲内のものであって、格別なものではない。
　
　よって、本件補正発明は、引用発明に基いて当業者が容易に発明をすることができたものであるから、特許法第２９条第２項の規定により、特許出願の際に独立して特許を受けることができないものである。
　
　（５）請求人の主張について
　請求人は、令和２年７月２７日付けの審判請求書において、審決で認定した上記相違点に係る本件補正発明が具備する構成について、引用発明が当該構成を具備しない点で両者は異なり、本件補正発明は、当該構成を具備することにより「特定予告演出を第１の時期では第１の割合により実行可能とし、第２の時期では第２の割合により実行可能としたことによって、遊技者の救済成功演出の実行期待度を高めるための演出効果を向上することができる」なる効果を奏するものである旨（「（２）拒絶理由について」）主張する。
　
　しかしながら、上記（４）において検討したように、引用発明において、「特別遊技の示唆に関連する演出を通じて遊技の興趣向上に寄与する遊技機を提供する」（【0006】）ために、引用文献１の【0204】の「変動演出パターンＨＥｐ＿１６又はＨＥｐ＿２６による変動演出１２００に関し、復活煽り演出とそれに続く復活失敗演出又は復活成功演出は、第１仮停止期間中にのみ行われても良いし、第２仮停止期間中にのみ行われても良いし（即ち例えば背景画像が第２背景画像から第１背景画像に変更されてから行われても良いし）、第１仮停止期間及び第２仮停止期間中に（即ち第１仮停止期間及び第２仮停止期間を跨いで）行われても良い。」と記載された技術事項を勘案して、上記相違点に係る本件補正発明の構成に到達することは、当業者が容易になし得たものである。
　よって、請求人の上記主張を採用することはできない。
　
　（６）小括
　上記（１）〜（５）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明（以下「本願発明」という。）は、令和１年５月２７日付け手続補正書の請求項１に記載された、次のとおりのものと認める。
「Ａ　始動条件の成立により、大当たりに当選したか否かを判定する判定手段と、
　Ｂ　前記判定手段の判定結果に基づいて、図柄表示手段において図柄を変動表示させた後に、前記判定結果を示す図柄を停止表示させる図柄表示制御手段と、
　Ｃ　前記判定手段が前記大当たりに当選したと判定した場合、前記図柄表示制御手段が前記図柄を停止表示させた後に、当選した大当たりに対応する特別遊技を実行する特別遊技実行手段と、
　Ｄ　画像表示手段と可動役物とを含む演出手段と、
　Ｅ　前記判定手段の判定結果に基づいて、前記画像表示手段において複数種類の演出図柄をリーチ態様で停止させてからハズレ態様で停止させるハズレリーチ演出と、前記複数種類の演出図柄がハズレ態様で確定しそうな状態から救済されたことを報知する前記可動役物の動作をともなう救済成功演出と、前記複数種類の演出図柄がハズレ態様で確定しそうな状態から救済されなかったことを報知する救済失敗演出と、前記救済成功演出の実行の可能性を示唆する特定予告演出とを含む複数の演出の中の１又は複数の演出を前記演出手段に実行させる演出制御手段と、
　Ｆ２　前記演出制御手段が、前記図柄の変動表示中において、前記ハズレリーチ演出及び前記救済成功演出を実行させる場合、当該ハズレリーチ演出の終了後に前記特定予告演出が実行されることを可能とし、当該ハズレリーチ演出の終了前、および、前記救済失敗演出を実行させる場合に前記特定予告演出が実行されることを規制する規制手段と
　を具備することを特徴とする遊技機」
　
　２　原査定の拒絶の理由
　原査定の拒絶の理由の概要は、次のとおりである。
１．（新規性）本願発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
２．（進歩性）本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　＜引用文献等一覧＞
　　１．特開２０１６−２０９２６８号公報
　
　３　引用文献に記載された事項
　原査定の拒絶の理由に引用された引用文献１である特開２０１６−２０９２６８号公報の記載事項及び引用発明の認定については、前記「第２[理由]　２　２−２（２）引用文献１の記載事項及び引用発明」に記載したとおりである。
　
　４　対比・判断
　本願発明は、前記「第２［理由］」で検討した本件補正発明を特定するために必要な事項である「前記演出制御手段が、前記図柄の変動表示中において、前記ハズレリーチ演出及び前記救済成功演出を実行させる場合」の「前記特定予告演出」の「実行」に関して、「当該ハズレリーチ演出の終了後における第１の時期において第１の割合、または、第２の時期において前記第１の割合よりも高い第２の割合により前記特定予告演出が実行される」と限定されていたものを「当該ハズレリーチ演出の終了後に前記特定予告演出が実行される」とその限定を省くものである。
　　　
　そうすると、前記「第２[理由]　２　２−２（３）対比」における検討内容からみて、本願発明は、引用発明に一致するものであって、相違する点はない。
　したがって、本願発明は、引用発明である。
　　　
５　むすび
　以上のとおりであるから、本願発明は、特許法第２９条第１項第３号に該当し特許を受けることができない。
　よって、本願は拒絶すべきものである。